(57)【要約】【課題】  本発明は、中間竿及び穂先竿を元竿に収納した状態を確実に維持しつつ、振出竿の先端部を安定的に保護することができる振出竿用保護キャップを提供する。【解決手段】  本発明の振出竿用保護キャップＡは、振出竿Ｂの中間竿B2及び穂先竿B3を引出し可能に収納している元竿B1の先端部に着脱自在に被せて振出竿Ｂの先端部を保護するための保護キャップであって、キャップ主体は内部を、振出竿Ｂの先端部を受け入れる竿先収納空間部11に形成していると共に、該キャップ主体１の正面部分に開口部12を形成してあり、更に、キャップ主体１の基端部を弾性的に拡縮する短筒状挟着部13に形成していると共にこの短筒状挟着部13の内周面に係止突条又は周溝を形成してこの係止突条又は周溝を振出竿Ｂの元竿先端部外周面に設けている周溝又は係止突条に係止させるように構成していることを特徴とする。【選択図】    図２
2005210949.tif 000002
【特許請求の範囲】
【請求項１】
振出竿の中間竿及び穂先竿を引出し可能に収納している元竿の先端部に着脱自在に被せて振出竿の先端部を保護するための保護キャップであって、キャップ主体は内部を、元竿内に中間竿及び穂先竿を収納した状態の振出竿の先端部を受け入れる竿先収納空間部に形成していると共に、該キャップ主体の正面部分に該キャップ主体の下端に達する開口部を形成してあり、更に、キャップ主体の基端部を上記開口部を介して弾性的に拡縮する短筒状挟着部に形成していると共にこの短筒状挟着部の内周面に係止突条又は周溝を形成してこの係止突条又は周溝を該短筒状挟着部が被着する振出竿の元竿先端部外周面に設けている周溝又は係止突条に係止させるように構成していることを特徴とする振出竿用保護キャップ。
【請求項２】
キャップ主体の竿先収納空間部を中間竿及び穂先竿の先端部を受け入れ可能に形成していると共に、該キャップ主体の開口部を、先端近傍部から下端に達するまで切除することによって、収納した中間竿及び穂先竿に取付けている糸通し環を上記竿先収納空間部から外部に露出可能な縦長開口部に形成していることを特徴とする請求項１に記載の振出竿用保護キャップ。
【発明の詳細な説明】
【技術分野】
【０００１】
本発明は、振出竿の中間竿及び穂先竿を引出し可能に収納している元竿の先端部に着脱自在に被せて振出竿の先端部を保護するための保護キャップに関する。
【背景技術】
【０００２】
従来から、釣りをするにあたって振出竿が広く使用されている。この振出竿は、不使用時或いは携行時には、振出竿の元竿内に中間竿及び穂先竿を引出し可能に収納してコンパクトな状態にできるように構成されている。
【０００３】
そして、振出竿の元竿内に収納された中間竿及び穂先竿は、単に元竿内に収納された状態では、不使用時或いは携行時に元竿内から不測に外方に引き出されてしまって破損する虞れがある。
【０００４】
そこで、特許文献１には、振出竿の先端を保護する筒状のカバーの下部に竿止め用バンドを設けた釣竿保護カバーが提案されており、この釣竿保護カバーを振出竿の先端に着脱自在に被せることによって、中間竿及び穂先竿が元竿内から不測に引き出されるのを防止することができる。
【０００５】
しかしながら、振出竿の先端部への釣竿保護カバーの固定は、カバーの下部に設けた竿止め用バンドによってカバーの下端開口部を縮径させることによって行なっているに過ぎないことから、カバーの下部が元竿の上端部から振出竿の長さ方向に容易に抜けてしまって、元竿内に収納した中間竿及び穂先竿が不測に元竿内から引き出されてしまうといった問題があった。
【０００６】
又、釣竿保護カバーの竿止め用バンドは、通常、ゴムなどの弾性材料から形成されており、比較的熱に弱いことから、夏季には竿止め用バンドが変質し、振出竿の元竿の外周面に竿止め用バンドの一部が付着したり或いは元竿の外周面を変色させてしまうといった問題点があった。
【０００７】
【特許文献１】実開平５−９５２７４号公報（特許請求の範囲）
【発明の開示】
【発明が解決しようとする課題】
【０００８】
本発明は、中間竿及び穂先竿を元竿に収納した状態を確実に維持しつつ、振出竿の先端部を安定的に保護することができる振出竿用保護キャップを提供する。
【課題を解決するための手段】
【０００９】
請求項１に記載の振出竿用保護キャップは、振出竿の中間竿及び穂先竿を引出し可能に収納している元竿の先端部に着脱自在に被せて振出竿の先端部を保護するための保護キャップであって、キャップ主体は内部を、元竿内に中間竿及び穂先竿を収納した状態の振出竿の先端部を受け入れる竿先収納空間部に形成していると共に、該キャップ主体の正面部分に該キャップ主体の下端に達する開口部を形成してあり、更に、キャップ主体の基端部を上記開口部を介して弾性的に拡縮する短筒状挟着部に形成していると共にこの短筒状挟着部の内周綿に係止突条又は周溝を形成してこの係止突条又は周溝を該短筒状挟着部が被着する振出竿の元竿先端部外周面に設けている周溝又は係止突条に係止させるように構成していることを特徴とする。
【００１０】
又、請求項２に記載の振出竿用保護キャップは、請求項１に記載の振出竿用保護キャップにおいて、キャップ主体の竿先収納空間部を中間竿及び穂先竿の先端部を受け入れ可能に形成していると共に、該キャップ主体の開口部を、先端近傍部から下端に達するまで切除することによって、収納した中間竿及び穂先竿に取付けている糸通し環を上記竿先収納空間部から外部に露出可能な縦長開口部に形成していることを特徴とする。
【発明の効果】
【００１１】
本発明の振出竿用保護キャップは、振出竿の中間竿及び穂先竿を引出し可能に収納している元竿の先端部に着脱自在に被せて振出竿の先端部を保護するための保護キャップであって、キャップ主体は内部を、元竿内に中間竿及び穂先竿を収納した状態の振出竿の先端部を受け入れる竿先収納空間部に形成していると共に、該キャップ主体の正面部分に該キャップ主体の下端に達する開口部を形成してあり、更に、キャップ主体の基端部を上記開口部を介して弾性的に拡縮する短筒状挟着部に形成していると共にこの短筒状挟着部の内周綿に係止突条又は周溝を形成してこの係止突条又は周溝を該短筒状挟着部が被着する振出竿の元竿先端部外周面に設けている周溝又は係止突条に係止させるように構成していることを特徴とするので、元竿内に中間竿及び穂先竿を引出し可能に収納している振出竿の先端部に着脱自在に被せることによって、元竿内に引出し可能に収納された中間竿及び穂先竿を保護し、中間竿や穂先竿が不測に破損するのを防止することができる。
【００１２】
更に、振出竿用保護キャップを振出竿の先端部に取り付けるにあたっては、短筒状挟着部を振出竿の元竿に被着させることによって行なっていることから、振出竿用保護キャップを振出竿の先端部にワンタッチで取り付けることができる。
【００１３】
しかも、振出竿用保護キャップの短筒状挟着部の内周面に形成した係止突条又は周溝を、この短筒状挟着部が被着する振出竿の元竿先端部外周面に設けている周溝又は係止突条に係止させることによって、振出竿用保護キャップを振出竿の先端部に着脱自在に取り付けていることから、振出竿用保護キャップを振出竿の先端部の所定位置に正確に被せることができ、振出竿用保護キャップで振出竿の先端部を保護するにあたって、中間竿及び穂先竿に不測に外力が加わることなく、中間竿及び穂先竿を確実に保護することができる。
【００１４】
又、請求項２に記載の振出竿用保護キャップは、請求項１に記載の振出竿用保護キャップにおいて、キャップ主体の竿先収納空間部を中間竿及び穂先竿の先端部を受け入れ可能に形成していると共に、該キャップ主体の開口部を、先端近傍部から下端に達するまで切除することによって、収納した中間竿及び穂先竿に取付けている糸通し環を上記竿先収納空間部から外部に露出可能な縦長開口部に形成していることを特徴とするので、竿先収納空間部内に中間竿及び穂先竿の先端部をそれらに取り付けた糸通し環が縦長開口部を通じて外部に露出した状態に収納することによって、元竿内に引出し可能に収納された中間竿及び穂先竿を保護し、中間竿や穂先竿が不測に破損するのを防止することができる。
【００１５】
又、振出竿用保護キャップを振出竿の先端部に取り付けた状態において、振出竿用保護キャップの短筒状挟着部と振出竿の元竿の先端部とに形成された係止突条及び周溝は、互いに周方向に相対的に変位可能な状態に係止し合っていることから、中間竿及び穂先竿の糸通し環に外力が加わって中間竿及び穂先竿がそれらの軸芯を中心して回動変位した場合にあっても、振出竿用保護キャップも中間竿及び穂先竿の回動変位に同調して元竿を中心に回動変位して外力を吸収するので、中間竿及び穂先竿における糸通し環の取付け部に不要な力が加わることはなく、糸通し環を含めた中間竿及び穂先竿を確実に保護することができる。
【発明を実施するための最良の形態】
【００１６】
本発明の振出竿用保護キャップの一例を図面を参照しつつ説明する。振出竿用保護キャップＡのキャップ主体１は、図１及び図２に示したように、基端から先端に向かって先細状に形成され且つ先端が閉止された有底円筒状に形成されてなり、内部を振出竿Ｂの元竿B1内に引出し可能に収納した中間竿B2及び穂先竿B3の先端部を受け入れるための竿先収納空間部11に形成している。
【００１７】
そして、キャップ主体１の正面部分には、先端近傍部から下端に達するまで切除することによって、先端側から基端側に向かって幅広くなるように形成され且つキャップ主体１の下端面に開口した縦長開口部12が内外面間に亘って貫通した状態に形成されており、この縦長開口部12を通じて、竿先収納空間部11内に収納した中間竿B2及び穂先竿B3に取り付けている糸通し環B21 、B31 を外部に露出させることができるように構成されている。なお、縦長開口部12の下端部は、若干幅広い拡幅開口部12a に形成されている。
【００１８】
更に、キャップ主体１の基端部は、上記縦長開口部12の下部を介して弾性的に拡縮可能な短筒状挟着部13に形成されている。即ち、キャップ主体１の短筒状挟着部13は、縦長開口部12の拡幅開口部12a の開口幅を狭め或いは拡げることによって弾性的に拡縮（拡径或いは縮径）可能に形成されている。
【００１９】
そして、上記短筒状挟着部13の内周面には、その全周に亘って三条の係止突条13a 、13a ・・・が上下方向に等間隔毎に互いに平行に形成されており、この係止突条13a 、13a ・・・は、後述する振出竿Ｂの元竿B1の先端部外周面に形成された周溝B11 、B11 ・・・に係脱自在に係止可能に構成されている。なお、上記短筒状挟着部13の係止突条13a は、上述のようにリング状に連続的に形成されている必要はなく、断続的に形成されていてもよい。
【００２０】
次に、上記振出竿用保護キャップＡの使用要領について説明する。先ず、振出竿用保護キャップＡを着脱自在に被せて保護する振出竿Ｂについて説明すると、振出竿Ｂは、図２及び図３に示したように、その円筒状の元竿B1内に複数本の中間竿B1、B1・・・が伸縮自在に順次、挿入、配設され且つこれら複数本の中間竿B1のうちの伸長時における先端側の中間竿B1内に穂先竿B3が伸縮自在に挿入、配設されてなり、上記元竿B1の先端部外周面には、振出竿用保護キャップＡの各係止突条13a 、13a ・・・が係脱自在に係止可能な三条の周溝B11 、B11 ・・・が全周に亘って上下方向に等間隔毎に互いに平行に形成されている。なお、各中間竿B2の外周面並びに穂先竿B3の先端部及び外周面には糸通し環B21 、B31 が一体的に取り付けられている。
【００２１】
そして、上記振出竿用保護キャップＡを用いて振出竿Ｂの先端部を保護するには、先ず、振出竿Ｂの元竿B1内に全ての中間竿B2、B2・・・及び穂先竿B3を引出し可能に収納すると共に中間竿B2及び穂先竿B3の全ての糸通し環B21 、B31 を同一方向を向いた状態とした後、この振出竿Ｂにおける穂先竿B3の先端部の糸通し環B31 を振出竿用保護キャップＡの縦長開口部12を通じて、振出竿用保護キャップＡの竿先収納空間部11の先端部内に収納した状態とする。
【００２２】
この時、穂先竿B3の先端部の糸通し環B31 を除いた、中間竿B2及び穂先竿B3の全ての糸通し環B21 、B31 が中間竿B2及び穂先竿B3を挟んで振出竿用保護キャップＡの縦長開口部12とは反対側の位置で振出竿の長さ方向に整列した状態としておく。
【００２３】
しかる後、振出竿用保護キャップＡの短筒状挟着部13を振出竿Ｂの元竿B1の先端部に向かって押圧することにより、振出竿用保護キャップＡの短筒状挟着部13を縦長開口部12の拡幅開口部12a の開口幅を弾性的に拡げることによって弾性的に拡径させて元竿B1の先端部に着脱自在に嵌合させ、振出竿用保護キャップＡの係止突条13a と元竿B1の周溝B11 とを係脱自在に係合させて固定させると共に、元竿B1内に収納した中間竿B2及び穂先竿B3の先端部をそれらに取り付けられた糸通し環B21 、B31 が縦長開口部12を通じて外方に突出した状態に振出竿用保護キャップＡの竿先収納空間部11内に安定的に収納、保護した状態とする（図２及び図４参照）。
【００２４】
このように、振出竿用保護キャップＡは、振出竿Ｂの先端部を保護するにあたっては、振出竿Ｂの穂先竿B3の先端部を振出竿用保護キャップＡの竿先収納空間部11の先端部内に収納した後、振出竿用保護キャップＡの短筒状挟着部13を振出竿Ｂの元竿B1の先端部にワンタッチで着脱自在に嵌合させることによって、振出竿用保護キャップＡを振出竿Ｂの先端部に安定的に取り付けることができ、振出竿Ｂの先端部を確実に保護することができる。
【００２５】
しかも、振出竿用保護キャップＡは、その短筒状挟着部13の係止突条13a を振出竿Ｂの元竿B1の周溝B11 に着脱自在に係止させることによって振出竿Ｂの先端部に取り付けられていることから、振出竿用保護キャップＡが振出竿Ｂの先端部から不測に抜けてしまい、元竿B1内に収納していた中間竿B2及び穂先竿B3が不測に外方に引き出されて破損してしまうといった事態は発生しない。
【００２６】
更に、上述のように、振出竿用保護キャップＡは、その短筒状挟着部13の係止突条13a を振出竿Ｂの元竿B1の周溝B11 に係脱自在に係止させることによって振出竿Ｂの先端部に取り付けるものであるから、振出竿Ｂに対する振出竿用保護キャップＡの取付け位置を常に同一位置とすることができ、破損し易い振出竿の先端部に不要な力を加えることなく振出竿用保護キャップＡによって振出竿Ｂの先端部を確実に保護することができる。
【００２７】
又、振出竿用保護キャップＡが振出竿Ｂに着脱自在に取り付けられた状態においては、振出竿用保護キャップＡと振出竿Ｂの元竿B1とは、振出竿用保護キャップＡの係止突条13a と元竿B1の周溝B11 との係止によって互いに一体化されているものの、保護キャップＡの係止突条13a は振出竿Ｂの周溝B11 内を周方向に移動可能な状態となっていることから、振出竿用保護キャップＡは元竿B1に対して周方向に回動自在な状態となっている。
【００２８】
従って、元竿B1内に引出し可能に収納している中間竿B2及び穂先竿B3の糸通し環B21 、B31 に外部から力が加わって、中間竿B2及び穂先竿B3が振出竿Ｂの軸芯周りに回動変位した場合にあっても、振出竿用保護キャップＡも中間竿B2及び穂先竿B3の回動に合わせて振出竿Ｂの元竿B1周りに円滑に回動変位し、中間竿B2及び穂先竿B3に余計な力が加わるのを阻止して、中間竿B2及び穂先竿B3が破損するのを防止することができる。
【００２９】
なお、上記実施例では、振出竿用保護キャップＡの短筒状挟着部13の内周面に係止突条13a を、振出竿Ｂの元竿B1の先端外周面に周溝B11 を形成した場合を説明したが、振出竿用保護キャップＡの短筒状挟着部13の内周面に周溝を、振出竿Ｂの元竿B1の先端外周面に係止突条を形成してもよい。
【００３０】
又、上記実施例では、振出竿用保護キャップＡの縦長開口部12の下端部を拡幅開口部12a に形成した場合を説明したが、図５及び図６に示したように、縦長開口部12の下端部を幅狭く形成して幅狭開口部12b としてもよい。
【００３１】
更に、上記した振出竿Ｂは、その中間竿B2及び穂先竿B3の夫々に糸通し環B21 、B31 を一体的に設けてあり、元竿B1内に中間竿B2及び穂先竿B3を引出し可能に収納した状態においては、各中間竿B2及び穂先竿B3の先端部が元竿B1又は元竿B1側に隣接した中間竿B2から順次、所定長さだけ突出した状態となっている。
【００３２】
一方、図７に示したように、振出竿には、その中間竿及び穂先竿に糸通し環が設けられておらず、元竿B1' 内に中間竿B2' 及び穂先竿B3' を引出し可能に収納した場合に中間竿B2' 及び穂先竿B3' が完全に元竿B1' 内に収納されてしまうように構成されている振出竿がある。なお、図７は、中間竿B2' 及び穂先竿B3' を元竿B1' 内に収納する途上を示した斜視図である。
【００３３】
このような振出竿B'に対して上述のような構成を有する振出竿用保護キャップＡを適用すると、元竿B1' 内に収納した中間竿B2' 及び穂先竿B3' が保管中或いは携行時に振出竿用保護キャップＡの竿先収納空間部11内に不測に引き出されて妄動し破損する虞れがあることから、以下の構成を有する振出竿用保護キャップA'を用いることが好ましい。
【００３４】
即ち、図７に示したように、振出竿用保護キャップA'のキャップ主体２は、内径が振出竿B'の元竿B1' の外径に等しいか或いは若干大きな一定高さを有する有底円筒状に形成されていると共に内部を竿先収納空間部21に形成しており、この竿先収納空間部21内に、複数本の中間竿B2' 及び穂先竿B3' を全長に亘って引出し可能に収納した状態の元竿B1' の先端部が収納可能に構成されている。
【００３５】
そして、上記キャップ主体２の基端部正面には、その下端に達する開口部22が内外面間に亘って貫通した状態に形成されている。この開口部22は、その下半部が略一定幅を有していると共に上半部が上方になるにしたがって徐々に幅狭くなるように構成されている。
【００３６】
更に、上記キャップ主体２の基端部は、上記開口部22を介して弾性的に拡縮する短筒状挟着部23に形成している。そして、この短筒状挟着部23の内周面には、その全周に亘って三条の係止突条23a 、23a ・・・が上下方向に等間隔毎に互いに平行に形成されており、この係止突条23a 、23a ・・・は、上記振出竿B'の元竿B1’の先端部外周面に形成された周溝B11'、B11'・・・に係脱自在に係止可能に構成されている。なお、上記短筒状挟着部23の係止突条23a は、上述のようにリング状に連続的に形成されている必要はなく、断続的に形成されていてもよい。
【００３７】
次に、上記振出竿用保護キャップA'の使用要領について説明する。上記振出竿用保護キャップA'を用いて振出竿B'の先端部を保護するには、先ず、振出竿B'の元竿B1' 内に全ての中間竿B2' 、B2' ・・・及び穂先竿B3' をその全長に亘って引出し可能に収納する。
【００３８】
次に、振出竿用保護キャップA'の短筒状挟着部23を開口部22の開口幅を拡げることによって弾性的に拡径させて、振出用保護キャップA'の下端部をその下端開口部を通じて元竿B1' の先端部に被嵌させる。
【００３９】
そして、振出竿用保護キャップA'を元竿B1' に沿って基端側に向かって変位させ、振出竿用保護キャップA'の係止突条23a 、23a ・・・を、元竿B1' の周溝B11'、B11'・・・に係脱自在に係止させて振出竿用保護キャップA'を振出竿B'の元竿B1' の先端部に固定し、振出用保護キャップA'で振出竿B'の先端部を保護する（図８参照）。この際、振出用保護キャップA'のキャップ主体２の内底面によって元竿B1' の先端面が受止されるように、キャップ主体２の上下高さ又は振出竿B'の元竿B1' における周溝B11'形成位置を調整することが好ましい。
【００４０】
このように、振出竿用保護キャップA'は、振出竿B'の先端部を保護するにあたって、中間竿B2' 及び穂先竿B3' を元竿B1' 内に収納した状態の振出竿B'の先端部に、振出竿用保護キャップA'の短筒状挟着部23をワンタッチで着脱自在に嵌合させることによって、振出竿用保護キャップA'を振出竿B'の先端部に安定的に取り付けることができ、振出竿B'の先端部を確実に保護することができる。
【００４１】
しかも、振出竿用保護キャップA'は、その短筒状挟着部23の係止突条23a を振出竿B'の元竿B1' の周溝B11'に着脱自在に係止させることによって振出竿B'の先端部に取り付けられていることから、振出竿用保護キャップA'が振出竿B'の先端部から不測に抜けてしまい、元竿B1' 内に収納していた中間竿B2' 及び穂先竿B3' が不測に外方に引き出されて破損してしまうといった事態は発生しない。
【００４２】
更に、上述のように、振出竿用保護キャップA'は、その短筒状挟着部23の係止突条23a を振出竿B'の元竿B1' の周溝B11'に係脱自在に係止させることによって振出竿B'の先端部に取り付けるものであるから、振出竿B'に対する振出竿用保護キャップA'の取付け位置を常に同一位置とすることができ、振出竿用保護キャップA'を振出竿B'の先端部に取り付ける際に、破損し易い振出竿の先端部に不要な力を加えることなく、振出竿用保護キャップＡによって振出竿B'の先端部を確実に保護することができる。
【００４３】
なお、上記実施例では、振出竿用保護キャップA'の短筒状挟着部23の内周面に係止突条23a を、振出竿B'の元竿B1' の先端外周面に周溝B11'を形成した場合を説明したが、振出竿用保護キャップＡの短筒状挟着部23の内周面に周溝を、振出竿B'の元竿B1' の先端外周面に係止突条を形成してもよい。
【図面の簡単な説明】
【００４４】
【図１】本発明の振出竿用保護キャップを示した正面図である。
【図２】図１の振出竿用保護キャップの使用状態を示した縦断面図である。
【図３】図１の振出竿用保護キャップ及びこの振出竿用保護キャップを被着させる振出竿を示した斜視図である。
【図４】図１の振出竿用保護キャップの使用状態を示した斜視図である。
【図５】本発明の振出竿用保護キャップの他の一例を示した斜視図である。
【図６】図５の振出竿用保護キャップを示した正面図である。
【図７】本発明の振出竿用保護キャップの他の一例及びこの振出用保護キャップが適用される振出竿を示した斜視図である。
【図８】図７の振出竿用保護キャップで振出竿の先端部を保護した状態を示した斜視図である。
【符号の説明】
【００４５】
１、２  キャップ主体
11、21  竿先収納空間部
12  縦長開口部
12a 拡幅開口部
22  開口部
13、23  短筒状挟着部
13a 、23a 係止突条
Ａ、A'  振出竿用保護キャップ
Ｂ、B'  振出竿
B1、B1' 元竿
B11 、B11'周溝
B2、B2' 中間竿
B21 糸通し環
B3、B3' 穂先竿
B31 糸通し環
【図１】
2005210949.tif 000003
【図２】
2005210949.tif 000004
【図３】
2005210949.tif 000005
【図４】
2005210949.tif 000006
【図５】
2005210949.tif 000007
【図６】
2005210949.tif 000008
【図７】
2005210949.tif 000009
【図８】
2005210949.tif 000010